(57)【要約】  ユーザが各入力欄に入力すべき情報を把握する助けとなる技術を提供することを課題とする。当該課題を解決するため、入力欄を有し、かつ、入力欄において過去に入力された入力データである過去入力データを、属性を識別可能に、入力欄に対応付けて示した入力画面をディスプレイに表示する表示部を有する端末装置を提供する。当該端末装置は、例えば、表示部は、過去入力データの入力時期や、過去入力データを入力したユーザの属性や、過去入力データの入力頻度を識別可能に示した入力画面を表示する。
2014203689.tif 000002
【特許請求の範囲】
【請求項１】
入力欄を有し、かつ、前記入力欄において過去に入力された入力データである過去入力データを、属性を識別可能に、前記入力欄に対応付けて示した入力画面をディスプレイに表示する表示手段を有する端末装置。
【請求項２】
請求項１に記載の端末装置において、
前記表示手段は、前記過去入力データの入力時期を識別可能に示した前記入力画面を表示する端末装置。
【請求項３】
請求項１又は２に記載の端末装置において、
前記表示手段は、前記過去入力データを入力したユーザの属性を識別可能に示した前記入力画面を表示する端末装置。
【請求項４】
請求項１から３のいずれか１項に記載の端末装置において、
前記表示手段は、前記過去入力データの入力頻度を識別可能に示した前記入力画面を表示する端末装置。
【請求項５】
請求項１から４のいずれか１項に記載の端末装置において、
前記表示手段は、１つの前記入力欄に対応付けて、互いに属性が異なる複数の前記過去入力データを示した前記入力画面を表示する端末装置。
【請求項６】
入力欄を有し、かつ、前記入力欄において過去に入力された入力データである過去入力データを、属性を識別可能に、前記入力欄に対応付けて示した入力画面を生成する入力画面生成手段を有するサーバ装置。
【請求項７】
請求項６に記載のサーバ装置において、
前記入力画面生成手段は、前記過去入力データの入力時期を識別可能に示した前記入力画面を生成するサーバ装置。
【請求項８】
請求項６又は７に記載のサーバ装置において、
前記入力画面生成手段は、前記過去入力データを入力したユーザの属性を識別可能に示した前記入力画面を生成するサーバ装置。
【請求項９】
請求項６から８のいずれか１項に記載のサーバ装置において、
前記入力画面生成手段は、前記過去入力データの入力頻度を識別可能に示した前記入力画面を生成するサーバ装置。
【請求項１０】
請求項６から９のいずれか１項に記載のサーバ装置において、
前記入力画面生成手段は、１つの前記入力欄に対応付けて、互いに属性が異なる複数の前記過去入力データを示した前記入力画面を生成するサーバ装置。
【請求項１１】
請求項６から１０のいずれか１項に記載のサーバ装置において、
前記入力画面生成手段が生成した前記入力画面を端末装置に送信するサーバ送信手段と、
前記端末装置から、前記入力画面が有する前記入力欄に入力された前記入力データ及び属性情報を受信するサーバ受信手段と、
前記サーバ受信手段が受信した前記入力データを、前記過去入力データとして、前記属性情報及び前記入力欄に対応付けて記憶するデータ記憶手段と、
前記データ記憶手段に記憶されている前記過去入力データの中の１つ又は複数を、前記入力画面に表示する前記過去入力データとして決定する決定手段と、
をさらに有し、
前記入力画面生成手段は、前記決定手段が決定した前記過去入力データを示した前記入力画面を生成するサーバ装置。
【請求項１２】
請求項１１に記載のサーバ装置において、
前記決定手段は、互いに属性が異なる複数の前記過去入力データを、１つの前記入力欄に対応付けて表示する前記過去入力データとして決定するサーバ装置。
【請求項１３】
コンピュータが、
入力欄を有し、かつ、前記入力欄において過去に入力された入力データである過去入力データを、属性を識別可能に、前記入力欄に対応付けて示した入力画面をディスプレイに表示する表示工程を実行する入力画面表示方法。
【請求項１４】
コンピュータが、
入力欄を有し、かつ、前記入力欄において過去に入力された入力データである過去入力データを、属性を識別可能に、前記入力欄に対応付けて示した入力画面を生成する入力画面生成工程を実行する入力画面生成方法。
【請求項１５】
コンピュータを、
入力欄を有し、かつ、前記入力欄において過去に入力された入力データである過去入力データを、属性を識別可能に、前記入力欄に対応付けて示した入力画面をディスプレイに表示する表示手段として機能させるプログラム。
【請求項１６】
コンピュータを、
入力欄を有し、かつ、前記入力欄において過去に入力された入力データである過去入力データを、属性を識別可能に、前記入力欄に対応付けて示した入力画面を生成する入力画面生成手段として機能させるプログラム。
【発明の詳細な説明】
【技術分野】
【０００１】
本発明は、端末装置、サーバ装置、入力画面表示方法、入力画面生成方法及びプログラムに関する。
【背景技術】
【０００２】
特許文献１には、開発コストや開発工期の増加を防止するとともにユーザの習熟度に応じた画面を表示するための技術が開示されている。特許文献１に開示されている表示画面変換装置は、アプリケーションサーバとクライアント端末とにネットワークを介して相互に通信可能に接続される表示画面変換装置であって、ユーザの入力操作を記録した操作履歴情報がクライアント端末から送信される度に、予め記憶されている基準にしたがって、ユーザの入力操作の習熟度を判定する習熟度判定部と、クライアント端末に表示される入力画面がアプリケーションサーバから送信される度に、予め記憶されている基準及び習熟度判定部で判定された習熟度にしたがって入力画面を変換する画面変換部と、画面変換部で変換された入力画面をクライアント端末に送信する変換画面送信部と、を備える。
【先行技術文献】
【特許文献】
【０００３】
【特許文献１】特開２０１３−５４４２４号公報
【発明の概要】
【発明が解決しようとする課題】
【０００４】
近年、ユーザは、所定の作業の報告や、所定のサービスへの申し込みなど様々な場面で、１つまたは複数の入力欄を有する入力画面から所定の情報を入力する処理を行っている。【０００５】
一般的に、各入力欄には、入力すべき内容を把握できるように見出し等が対応付けて表示されている。ユーザは、この見出しを頼りにして、各入力欄に入力する情報を把握することとなる。【０００６】
ところで、入力内容は、「各ユーザの識別情報」や、「連絡先」など、見出しから比較的容易に把握できるもののみならず、「備考」、「自由欄」など、見出しからどのような情報を入力すべきか十分に把握できないものも存在する。当該入力画面からの入力の経験が浅いユーザは、特にこのような事態に陥りやすい。このような事態に陥った場合、ユーザによる入力作業の効率が悪くなるという問題がある。また、その入力欄を空欄にしたまま入力作業を終了する場合もあり得る。かかる場合、必要な情報を適切に収集できないとう問題がある。【０００７】
本発明では、ユーザが各入力欄に入力すべき情報を把握する助けとなる技術を提供することを課題とする。
【課題を解決するための手段】
【０００８】
本発明によれば、
入力欄を有し、かつ、前記入力欄において過去に入力された入力データである過去入力データを、属性を識別可能に、前記入力欄に対応付けて示した入力画面をディスプレイに表示する表示手段を有する端末装置が提供される。【０００９】
また、本発明によれば、
入力欄を有し、かつ、前記入力欄において過去に入力された入力データである過去入力データを、属性を識別可能に、前記入力欄に対応付けて示した入力画面を生成する入力画面生成手段を有するサーバ装置が提供される。【００１０】
また、本発明によれば、
コンピュータが、
入力欄を有し、かつ、前記入力欄において過去に入力された入力データである過去入力データを、属性を識別可能に、前記入力欄に対応付けて示した入力画面をディスプレイに表示する表示工程を実行する入力画面表示方法が提供される。【００１１】
また、本発明によれば、
コンピュータが、
入力欄を有し、かつ、前記入力欄において過去に入力された入力データである過去入力データを、属性を識別可能に、前記入力欄に対応付けて示した入力画面を生成する入力画面生成工程を実行する入力画面生成方法が提供される。【００１２】
また、本発明によれば、
コンピュータを、
入力欄を有し、かつ、前記入力欄において過去に入力された入力データである過去入力データを、属性を識別可能に、前記入力欄に対応付けて示した入力画面をディスプレイに表示する表示手段として機能させるプログラムが提供される。【００１３】
また、本発明によれば、
コンピュータを、
入力欄を有し、かつ、前記入力欄において過去に入力された入力データである過去入力データを、属性を識別可能に、前記入力欄に対応付けて示した入力画面を生成する入力画面生成手段として機能させるプログラムが提供される。
【発明の効果】
【００１４】
本発明によれば、ユーザが各入力欄に入力すべき情報を把握する助けとなる技術が実現される。
【図面の簡単な説明】
【００１５】
上述した目的、およびその他の目的、特徴および利点は、以下に述べる好適な実施の形態、およびそれに付随する以下の図面によってさらに明らかになる。【００１６】
【図１】本実施形態の端末装置のハードウェア構成の一例を概念的に示す図である。
【図２】本実施形態の端末装置の機能ブロック図の一例を示す図である。
【図３】本実施形態の入力画面の一例を示す図である。
【図４】本実施形態の入力画面の一例を示す図である。
【図５】本実施形態のサーバ装置のハードウェア構成の一例を概念的に示す図である。
【図６】本実施形態のサーバ装置の機能ブロック図の一例を示す図である。
【図７】本実施形態の端末装置とサーバ装置とを含むシステムの全体像を示す図である。
【図８】本実施形態の端末装置の機能ブロック図の一例を示す図である。
【図９】本実施形態のログイン画面の一例を示す図である。
【図１０】本実施形態のサーバ装置の機能ブロック図の一例を示す図である。
【図１１】本実施形態のサーバ装置が記憶するデータの一例を模式的に示す図である。
【図１２】本実施形態のサーバ装置が記憶するデータの一例を模式的に示す図である。
【図１３】本実施形態の端末装置とサーバ装置とを含むシステムの処理の流れの一例を示すシーケンス図である。
【発明を実施するための形態】
【００１７】
以下、本発明の実施の形態について図面を用いて説明する。
【００１８】
＜第１の実施形態＞
本実施形態の端末装置１００は所定の入力画面をディスプレイに表示し、当該入力画面を介してユーザから所定の情報の入力を受付ける。
【００１９】
本実施形態の端末装置１００は、任意のコンピュータのＣＰＵ（Central Processing Unit）、メモリ、メモリにロードされたプログラム（あらかじめ装置を出荷する段階からメモリ内に格納されているプログラムのほか、ＣＤ（Compact Disc）等の記憶媒体やインターネット上のサーバ等からダウンロードされたプログラムも含む）、そのプログラムを格納するハードディスク等の記憶ユニット、ネットワーク接続用インタフェイスを中心にハードウェアとソフトウェアの任意の組合せによって実現される。そして、その実現方法、装置にはいろいろな変形例があることは、当業者には理解されるところである。
【００２０】
図１は、本実施形態の端末装置１００のハードウェア構成の一例を概念的に示す図である。図示するように、本実施形態の端末装置１００は、例えば、バス１８Ａで相互に接続されるＣＰＵ１０Ａ、ＲＡＭ１１Ａ、ＲＯＭ１２Ａ、通信部１３Ａ、表示制御部１４Ａ、ディスプレイ１５Ａ、操作受付部１６Ａ、操作部１７Ａ等を有する。なお、図示しないが、マイク、スピーカ、補助記憶装置、カメラ等の他の要素を含むこともできる。
【００２１】
ＣＰＵ１０Ａは各要素とともに端末装置１００のコンピュータ全体を制御する。ＲＯＭ１２Ａは、コンピュータを動作させるためのプログラムや各種アプリケーションプログラム、それらのプログラムが動作する際に使用する各種設定データなどを記憶する領域を含む。ＲＡＭ１１Ａは、プログラムが動作するための作業領域など一時的にデータを記憶する領域を含む。
【００２２】
操作部１７Ａは、操作キー、操作ボタン、スイッチ、ジョグダイヤル、タッチパッド、ディスプレイ１５Ａと一体になったタッチパネルなどを含む。操作受付部１６Ａは、ユーザが操作部１７Ａを操作することでなされるユーザ入力を受付ける。ディスプレイ１５Ａは、ＬＥＤ（Light Emitting Diode）表示器や、液晶ディスプレイ、有機ＥＬ（Electro Luminescence）ディスプレイなどを含む。表示制御部１４Ａは、ＣＰＵ１０Ａからの指示に従い、ディスプレイ１５Ａに各種画面表示を行う。
【００２３】
通信部１３Ａは、有線で接続された外部機器と通信を行うことができる。また、通信部１３Ａは、あらゆる無線通信技術（近距離無線通信、無線ＬＡＮ通信、携帯電話通信網を利用した通信等）を利用して外部機器と通信を行うことができる。
【００２４】
次に、機能ブロック図を用いて、端末装置１００の機能を説明する。なお、機能ブロック図は、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。
【００２５】
図２に、本実施形態の端末装置１００の機能ブロック図の一例を示す。図示するように、本実施形態の端末装置１００は、表示部１０１を有する。
【００２６】
表示部１０１は、入力欄を有し、かつ、当該入力欄において過去に入力された入力データである過去入力データを、属性を識別可能に、当該入力欄に対応付けて示した入力画面をディスプレイに表示する。本実施形態において、表示部１０１が入力画面のデータを取得する手段は特段制限されないが、例えば、通信部１３Ａを介して外部機器から取得してもよい。以下の実施形態で詳細を説明する。
【００２７】
図３に、表示部１０１がディスプレイ１５Ａに入力画面を表示した様子の一例を示す。当該入力画面は、所定の点検作業の結果を報告（提出）するための入力画面である。より詳細には、所定の建物内に備えられた消火器の点検結果を報告（提出）するための入力画面である。なお、入力画面の詳細は設計的事項であり、入力欄の数、入力欄が受付ける情報の詳細は図示するものに限定されない。
【００２８】
図３に示す入力画面には、「結果」の見出しが対応付けられた入力欄と、「備考」の見出しが対応付けられた入力欄がある。そして、各入力欄に対応付けて（各入力欄の下方に）、各入力欄において過去に入力された入力データ（過去入力データ）が表示されている。
【００２９】
「結果」の入力欄に対応付けられた過去入力データは、「あり」、「なし」、「不明」の３種類である。これらの各過去入力データは、末尾に付された丸数字により、入力頻度（過去入力データの属性の１つ）が識別可能になっている。すなわち、「あり」は過去に３回入力されており、「なし」は過去に７２回入力されており、「不明」は過去に１回入力されていることがわかる。
【００３０】
「備考」の入力欄に対応付けられた過去入力データは、「上下さかさま」、「ひどいほこり」、「未記入」等である。「未記入」とは、空欄であったことを意味する。これらの各過去入力データは、末尾に付された丸数字により、入力頻度（過去入力データの属性の１つ）が識別可能になっている。なお、丸数字がないものは過去に１回入力されたことを意味する。すなわち、「上下さかさま」は過去に１回入力されており、「ひどいほこり」は過去に１回入力されており、「未記入」は過去に７４回あったことがわかる。また、これらの各過去入力データは、入力したユーザの属性（過去入力データの属性の１つ）、及び、入力時期（過去入力データの属性の１つ）が識別可能になっている。すなわち、「上下さかさま」は○○さんが２０１３年１月７日に入力したものであり、「ひどいほこり」は△△さんが２０１２年１１月７日に入力したものであることがわかる。ユーザの属性は、ユーザの名前のほか、ユーザの性別、年齢、肩書き、経験年数、出身地等であってもよい。
【００３１】
ユーザは、このような過去入力データを参照して、各入力欄に入力すべき内容を把握することができる。
【００３２】
なお、過去入力データの表示位置は図３に示すものに限定されない。例えば、図４に示すように、入力欄の中に表示してもよい。そして、所定の操作（例：入力欄を選択する操作）を受付けると、入力欄に表示されていた過去入力データを非表示にしてもよい。
【００３３】
また、属性情報を識別可能に表示する手段は図３及び図４に示すものに限定されない。例えば、入力したユーザの属性（例：肩書き）に応じて過去入力データをグループ分けし、グループごとに過去入力データの表示手法（色彩、フォント、大きさ等）を変更してもよい。例えば、肩書きが「リーダ」であるユーザが入力した過去入力データは赤字で表示し、その他のユーザが入力した過去入力データは青字で表示してもよい。
【００３４】
その他、過去入力データが入力された時期に応じて過去入力データをグループ分けし、グループごとに過去入力データの表示手法（色彩、フォント、大きさ等）を変更してもよい。例えば、現時点から１ヶ月以内に入力された過去入力データは赤字で表示し、その他の過去入力データは青字で表示してもよい。
【００３５】
その他、過去入力データが入力された頻度に応じて過去入力データをグループ分けし、グループごとに過去入力データの表示手法（色彩、フォント、大きさ等）を変更してもよい。例えば、５０回以上入力された過去入力データは赤字で表示し、その他の過去入力データは青字で表示してもよい。
【００３６】
なお、図３及び図４に示す入力画面の例では、過去入力データの属性として、入力時期、入力したユーザの属性、及び、入力頻度が識別可能に表示されているが、これらに代えて、またはこれらに加えて、その他の属性が識別可能になっていてもよい。また、入力時期、入力したユーザの属性、及び、入力頻度の中の少なくとも１つが識別可能になっていなくてもよい。
【００３７】
各入力欄に対応付けて表示する過去入力データの数は設計的事項であるが、複数あった方が良い。かかる場合、ユーザは多種多様な過去入力データを参考にして、各入力欄に入力すべき内容を把握することができる。
【００３８】
なお、１つの入力欄に対応付けて複数の過去入力データを表示する場合、互いに属性が異なる複数の過去入力データを表示するのが好ましい。このようにすることで、ユーザに、多種多様な、有益な情報を提供することができる。結果、ユーザは、様々な属性の過去入力データを参考にして、入力欄に入力すべき内容を適切に把握することができる。
【００３９】
以上説明したように、本実施形態の端末装置１００は、入力欄に対応付けて、属性を識別可能に過去入力データを表示した入力画面を表示することができる。入力画面から情報を入力するユーザは、過去入力データを参照することで、各入力欄にどのような情報を入力すべきか把握することができる。また、過去入力データの属性を識別することで、各過去入力データの信頼性等を把握することができる。
【００４０】
このように、本実施形態の端末装置１００によれば、ユーザが各入力欄に入力すべき情報を把握する助けとなる技術が実現される。
【００４１】
＜第２の実施形態＞
本実施形態のサーバ装置２００は所定の入力画面を生成する。
【００４２】
本実施形態のサーバ装置２００は、任意のコンピュータのＣＰＵ、メモリ、メモリにロードされたプログラム（あらかじめ装置を出荷する段階からメモリ内に格納されているプログラムのほか、ＣＤ等の記憶媒体やインターネット上のサーバ等からダウンロードされたプログラムも含む）、そのプログラムを格納するハードディスク等の記憶ユニット、ネットワーク接続用インタフェイスを中心にハードウェアとソフトウェアの任意の組合せによって実現される。そして、その実現方法、装置にはいろいろな変形例があることは、当業者には理解されるところである。
【００４３】
図５は、本実施形態のサーバ装置２００のハードウェア構成の一例を概念的に示す図である。図示するように、本実施形態のサーバ装置２００は、例えば、バス６Ａで相互に接続されるＣＰＵ１Ａ、ＲＡＭ２Ａ、ＲＯＭ３Ａ、通信部４Ａ、補助記憶装置５Ａ等を有する。なお、図示しないが、マイク、スピーカ、ディスプレイ、表示制御部、操作部、操作受付部等の他の要素を含むこともできる。
【００４４】
ＣＰＵ１Ａは各要素とともにサーバ装置２００のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置５Ａは、例えば磁気記憶のハードディスクであり、大量のデータを記憶できる。
【００４５】
通信部４Ａは、有線で接続された外部機器と通信を行うことができる。また、通信部４Ａは、あらゆる無線通信技術（近距離無線通信、無線ＬＡＮ通信、携帯電話通信網を利用した通信等）を利用して外部機器と通信を行うことができる。
【００４６】
次に、機能ブロック図を用いて、サーバ装置２００の機能を説明する。なお、機能ブロック図は、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。
【００４７】
図６に、本実施形態のサーバ装置２００の機能ブロック図の一例を示す。図示するように、本実施形態のサーバ装置２００は、入力画面生成部２０１を有する。
【００４８】
入力画面生成部２０１は、入力欄を有し、かつ、当該入力欄において過去に入力された入力データである過去入力データを、属性を識別可能に、当該入力欄に対応付けて示した入力画面を生成する。例えば、入力画面生成部２０１は、過去入力データの入力時期を識別可能に示した入力画面を生成してもよい。また、入力画面生成部２０１は、過去入力データを入力したユーザの属性を識別可能に示した入力画面を生成してもよい。また、入力画面生成部２０１は、過去入力データの入力頻度を識別可能に示した入力画面を生成してもよい。また、入力画面生成部２０１は、１つの入力欄に対応付けて、互いに属性が異なる複数の過去入力データを示した入力画面を生成してもよい。このような入力画面は、第１の実施形態で説明した端末装置１００の表示部１０１が表示する入力画面と同じであるので、ここでの説明は省略する。
【００４９】
本実施形態において、入力画面生成部２０１が過去入力データを取得する手段、および、入力画面を生成する手段は特段制限されず、あらゆる技術を採用することができる。例えば、入力画面生成部２０１は、過去入力データを記憶する記憶部から過去入力データを取得し、取得した過去入力データを予めひな型データを保持している入力画面の所定の位置に配置して、入力画面を生成してもよい。なお、以下の実施形態で詳細を説明する。
【００５０】
以上説明したように、本実施形態のサーバ装置２００は、入力欄に対応付けて、属性を識別可能に過去入力データを表示した入力画面を生成することができる。入力画面から情報を入力するユーザは、過去入力データを参照することで、各入力欄にどのような情報を入力すべきか把握することができる。また、過去入力データの属性を識別することで、各過去入力データの信頼性等を把握することができる。
【００５１】
このように、本実施形態のサーバ装置２００によれば、ユーザが各入力欄に入力すべき情報を把握する助けとなる技術が実現される。
【００５２】
＜第３の実施形態＞
図７に、本実施形態のシステムの全体像を示す。本実施形態のシステムは、インターネット、ＬＡＮ（Local Area Network）等のネットワーク３００を介して互いに通信可能な端末装置１００及びサーバ装置２００を有する。
【００５３】
図８に、本実施形態の端末装置１００の機能ブロック図の一例を示す。図示するように、本実施形態の端末装置１００は、表示部１０１と、受信部１０２と、入力受付部１０３と、１０４と、送信部１０５とを有する。
【００５４】
受信部１０２は、サーバ装置２００から、入力画面のデータを受信する。入力画面は第１の実施形態で説明したので、ここでの説明は省略する。なお、受信部１０２は、入力画面のデータを受信する前に、サーバ装置２００からログイン画面のデータを受信してもよい。図９に、ログイン画面の一例を示す。当該ログイン画面は、ユーザＩＤとパスワードの入力を受付けるとともに、入力された情報をサーバ装置２００に送信する指示入力（「送信」の選択）を受付けるように構成されている。
【００５５】
ここで、第１乃至第３の実施形態における「入力画面」とは、データの入力を受付けるための画面全体を指すのでなく、第１の実施形態で説明したように、各入力欄に対応付けて、過去入力データを、属性を識別可能に表示した画面を指す。ログイン画面は、データの入力を受付けるための画面であるが、図９に示すように過去入力データを表示していない。このため、ログイン画面は第１乃至第３の実施形態における入力画面には含まれない。
【００５６】
図８に戻り、表示部１０１は、受信部１０２が受信した入力画面のデータを利用して、第１の実施形態で説明したように入力画面をディスプレイ１５Ａに表示する（図３及び図４参照）。また、表示部１０１は、受信部１０２が受信したログイン画面のデータを利用して、ログイン画面をディスプレイ１５Ａに表示してもよい（図９参照）。
【００５７】
入力受付部１０３は、表示部１０１が表示する入力画面（図３及び図４参照）を介して、ユーザから各入力欄に対する入力、及び、入力したデータをサーバ装置２００に送信する入力（図３及び図４に示す「送信」の選択）を受付ける。また、入力受付部１０３は、表示部１０１が表示するログイン画面（図９参照）を介して、ユーザから各入力欄に対する入力、及び、入力したデータをサーバ装置２００に送信する入力（図９に示す「送信」の選択）を受付けてもよい。
【００５８】
なお、入力受付部１０３は、入力画面及びログイン画面を介してユーザからの入力（例えば、入力したデータをサーバ装置２００に送信する入力）を受付けると、時計部１０４からその時点の日時を示す日時情報を取得し、サーバ装置２００に送信するデータ（各入力欄に入力されたデータ）に対応付けてもよい。
【００５９】
送信部１０５は、入力受付部１０３が入力を受付けたデータ（各入力欄に入力されたデータ）である入力データをサーバ装置２００に送信する。なお、入力データには上述した日時情報が対応付けられていてもよい。また、入力画面から入力された入力データには、入力したユーザを識別する情報（ユーザＩＤ等）が対応付けられていてもよい。入力データにユーザを識別する情報を対応付ける処理の流れは、以下で説明する。
【００６０】
次に、図１０に、本実施形態のサーバ装置２００の機能ブロック図の一例を示す。図示するように、本実施形態のサーバ装置２００は、入力画面生成部２０１と、サーバ送信部２０２と、サーバ受信部２０３と、登録部２０４と、データ記憶部２０５と、入力画面ひな型記憶部２０６と、決定部２０７とを有する。
【００６１】
サーバ受信部２０３は、端末装置１００から送られてきたデータを受信する。例えば、サーバ受信部２０３は、入力画面から入力された入力データ及び属性情報（ユーザを識別する情報、日時情報等）を受信する。また、サーバ受信部２０３は、ログイン画面から入力された入力データを受信する。また、サーバ受信部２０３は、所定のログイン画面や入力画面の要求を受信する。
【００６２】
登録部２０４は、サーバ受信部２０３が受信したデータのうち、入力画面から入力された入力データ及び属性情報をデータ記憶部２０５に登録する。サーバ受信部２０３が受信したデータのうち、ログイン画面から入力されたデータは、図示しない認証部による認証処理に利用される。
【００６３】
データ記憶部２０５は、サーバ受信部２０３が受信した入力データを、過去入力データとして、属性情報及び入力欄に対応付けて記憶する。図１１に、データ記憶部２０５が記憶するデータの一例を模式的に示す。図示する例の場合、入力画面のＩＤに対応付けて、各入力画面が有する１つ又は複数の入力欄のＩＤが対応付けられている。そして、各入力欄のＩＤに対応付けて、入力データ（過去入力データ）と、属性情報（入力した日時を識別する情報：入力日、入力したユーザを識別する情報：入力者ＩＤ）とが対応付けられている。
【００６４】
図１０に戻り、入力画面生成部２０１は、サーバ受信部２０３がある入力画面の要求を端末装置１００から受信すると、入力画面を生成する。具体的には、まず、サーバ受信部２０３から要求を受けた入力画面のＩＤ（入力画面ＩＤ）を取得する。そして、入力画面生成部２０１は、入力画面ＩＤに対応付けて各入力画面のひな型データを予め記憶している入力画面ひな型記憶部２０６から、その入力画面ＩＤの入力画面のひな型データを取得する。また、入力画面生成部２０１は、決定部２０７に、その入力画面ＩＤの入力画面に表示する過去入力データを決定する指示を送信する。
【００６５】
決定部２０７は、データ記憶部２０５に記憶されている過去入力データ（図１１参照）の中の１つ又は複数を、入力画面に表示する過去入力データとして決定する。決定部２０７は、入力画面生成部２０１から上記指示を受信すると、データ記憶部２０５を参照し、受信した入力画面ＩＤに対応付けられた入力欄ＩＤ毎に、１つ又は複数の過去入力データ及び属性情報を抽出する。例えば、入力日の新しい方から順に所定数のデータを抽出してもよい。また、ある入力欄ＩＤに対応付けられた複数の過去入力データ及び属性情報を抽出する場合は、互いに属性が異なる複数の過去入力データを抽出してもよい。すなわち、決定部２０７は、互いに属性が異なる複数の過去入力データを、１つの入力欄に対応付けて表示する過去入力データとして決定してもよい。
【００６６】
決定部２０７は、さらに、図１２に示すような各ユーザの属性を示す情報（以下、ユーザ属性情報）を予め記憶しておいてもよい。そして、データ記憶部２０５に記憶されているデータ（図１１参照）の中から属性情報としてユーザを識別する情報（入力者ＩＤ）を抽出すると、図１２に示すユーザ属性情報を参照し、そのユーザの役職、経験年数などの属性情報を取得してもよい。
【００６７】
さらに、決定部２０７は、データ記憶部２０５に記憶されているデータ（図１１参照）の中から入力画面に表示する１つ又は複数の過去入力データを抽出すると、データ記憶部２０５に記憶されているデータ（図１１参照）を参照し、同じ入力画面ＩＤ及び入力欄ＩＤが対応付けられている入力データ（過去入力データ）の中に、抽出した入力データ（過去入力データ）と一致する入力データ（過去入力データ）がいくつあるか算出してもよい。そして、算出した値を、その入力データ（過去入力データ）の入力頻度（属性情報）としてもよい。
【００６８】
決定部２０７は、抽出した過去入力データ及び属性情報を、入力画面生成部２０１に送信する。
【００６９】
入力画面生成部２０１は、入力画面ひな型記憶部２０６から取得した入力画面のひな型データと、決定部２０７から受信した過去入力データ及び属性情報とを利用して、入力画面を生成する（図３及び図４参照）。
【００７０】
サーバ送信部２０２は、入力画面生成部２０１が生成した入力画面のデータを、端末装置１００に送信する。
【００７１】
次に、図３、図４、図８乃至図１２及び図１３のシーケンス図を利用して、本システムの処理の流れの一例を説明する。
【００７２】
まず、図８に示す端末装置１００の入力受付部１０が、ユーザからログイン画面を表示する指示入力を受付けると、送信部１０５はサーバ装置２００にログイン画面を要求する（図１３のＳ１）。すると、図１０に示すサーバ装置２００のサーバ受信部２０３が当該要求を受信する。そして、図示しない記憶部からログイン画面のデータが取り出され、サーバ送信部２０２が端末装置１００にログイン画面のデータを送信する（図１３のＳ２）。
【００７３】
次に、図８に示す端末装置１００の表示部１０１は、図９に示すように、受信したログイン画面のデータを利用して、ディスプレイ１５Ａにログイン画面を表示する。そして、入力受付部１０３が、ユーザＩＤ及びパスワードの入力を受付けるとともに、送信指示の入力を受付けると（図１３のＳ３）、送信部１０５がユーザＩＤ及びパスワード（ログイン情報）をサーバ装置２００に送信する（図１３のＳ４）。
【００７４】
すると、図１０に示すサーバ装置２００のサーバ受信部２０３がログイン情報を受信する。そして、図示しない認証部がログイン情報を利用して認証処理を行う（図１３のＳ５）。正常に認証された場合、図示しない記憶部からトップ画面のデータが取り出され、サーバ送信部２０２が端末装置１００にトップ画面のデータを送信する（図１３のＳ６）。当該トップ画面のデータには、Ｓ５で認証されたユーザの識別情報が対応付けられていてもよい。なお、認証に失敗した場合、送信部２０２はその旨を示す情報を端末装置１００に送信する（不図示）。
【００７５】
次に、図８に示す端末装置１００の表示部１０１は、受信したトップ画面のデータを利用して、ディスプレイ１５Ａにトップ画面を表示する（図１３のＳ７）。その後、入力受付部１０３が、例えば当該トップ画面又は当該トップ画面から遷移したその他の画面において、「消火器の点検結果を入力する入力画面」（以下、「消火器点検結果入力画面」という）を表示する指示入力を受付けると（図１３のＳ８）、送信部１０５はサーバ装置２００に消火器点検結果入力画面を要求する（図１３のＳ９）。なお、当該消火器点検結果入力画面の要求には、Ｓ６で受信したトップ画面のデータに対応付けられているユーザの識別情報が対応付けられていてもよい。
【００７６】
すると、図１０に示すサーバ装置２００のサーバ受信部２０３が当該要求を受信し、入力画面生成部２０１に消火器点検結果入力画面の生成を指示する。入力画面生成部２０１は、入力画面ひな型記憶部２０６から消火器点検結果入力画面のひな型データを取得するとともに、消火器点検結果入力画面に表示する過去入力データを決定部２０７に要求する。すると、決定部２０７は、データ記憶部２０５に記憶されている過去入力データを参照し、消火器点検結果入力画面に表示する１つ又は複数の過去入力データを決定するとともに、その属性情報を取得する（図１３のＳ１０）。
【００７７】
そして、入力画面生成部２０１は、Ｓ１０で決定部２０７が決定した過去入力データ及び取得した属性情報を利用して、消火器点検結果入力画面を生成する（図１３のＳ１１）。そして、入力画面生成部２０１が生成した消火器点検結果入力画面のデータを、サーバ送信部２０２が端末装置１００に送信する（図１３のＳ１２）。なお、当該消火器点検結果入力画面のデータには、Ｓ９で受信した消火器点検結果入力画面の要求に対応付けられているユーザの識別情報が対応付けられていてもよい。
【００７８】
次に、図８に示す端末装置１００の受信部１０２が消火器点検結果入力画面のデータを受信する。そして、表示部１０１が、当該データを利用して、図３及び図４に示すように、ディスプレイ１５Ａに消火器点検結果入力画面を表示する（図１３のＳ１３）。その後、入力受付部１０３が、消火器点検結果入力画面における各入力欄への入力を受付けるとともに（図１３のＳ１４）、入力したデータをサーバ装置２００に送信する指示入力を受付ける（図１３のＳ１５）。すると、入力受付部１０３は、時計部１０４からその時点の日時を示す日時情報取得し、Ｓ１４で受付けた入力データに対応付ける（Ｓ１６）。すると、送信部１０５は、当該入力データと日時情報とをサーバ装置２００に送信する（Ｓ１７）。当該入力データには、Ｓ１２で受信した消火器点検結果入力画面のデータに対応付けられているユーザの識別情報が対応付けられていてもよい。
【００７９】
すると、図１０に示すサーバ装置２００のサーバ受信部２０３が当該データを受信する。そして、登録部２０４がデータ記憶部２０５に登録する。なお、Ｓ１６で端末装置１００が入力データに日時情報を対応付ける代わりに、Ｓ１７で送信された入力データを受信したサーバ装置２００が、受信した時点の日時情報を取得して、対応付けてもよい。
【００８０】
以上説明した本実施形態によれば、第１及び第２の実施形態と同様の作用効果が実現される。
【００８１】
以下、参考形態の例を付記する。
１．  入力欄を有し、かつ、前記入力欄において過去に入力された入力データである過去入力データを、属性を識別可能に、前記入力欄に対応付けて示した入力画面をディスプレイに表示する表示手段を有する端末装置。
２．  １に記載の端末装置において、
前記表示手段は、前記過去入力データの入力時期を識別可能に示した前記入力画面を表示する端末装置。
３．  １又は２に記載の端末装置において、
前記表示手段は、前記過去入力データを入力したユーザの属性を識別可能に示した前記入力画面を表示する端末装置。
４．  １から３のいずれかに記載の端末装置において、
前記表示手段は、前記過去入力データの入力頻度を識別可能に示した前記入力画面を表示する端末装置。
５．  １から４のいずれかに記載の端末装置において、
前記表示手段は、１つの前記入力欄に対応付けて、互いに属性が異なる複数の前記過去入力データを示した前記入力画面を表示する端末装置。
６．  入力欄を有し、かつ、前記入力欄において過去に入力された入力データである過去入力データを、属性を識別可能に、前記入力欄に対応付けて示した入力画面を生成する入力画面生成手段を有するサーバ装置。
７．  ６に記載のサーバ装置において、
前記入力画面生成手段は、前記過去入力データの入力時期を識別可能に示した前記入力画面を生成するサーバ装置。
８．  ６又は７に記載のサーバ装置において、
前記入力画面生成手段は、前記過去入力データを入力したユーザの属性を識別可能に示した前記入力画面を生成するサーバ装置。
９．  ６から８のいずれかに記載のサーバ装置において、
前記入力画面生成手段は、前記過去入力データの入力頻度を識別可能に示した前記入力画面を生成するサーバ装置。
１０．  ６から９のいずれかに記載のサーバ装置において、
前記入力画面生成手段は、１つの前記入力欄に対応付けて、互いに属性が異なる複数の前記過去入力データを示した前記入力画面を生成するサーバ装置。
１１．  ６から１０のいずれかに記載のサーバ装置において、
前記入力画面生成手段が生成した前記入力画面を端末装置に送信するサーバ送信手段と、
前記端末装置から、前記入力画面が有する前記入力欄に入力された前記入力データ及び属性情報を受信するサーバ受信手段と、
前記サーバ受信手段が受信した前記入力データを、前記過去入力データとして、前記属性情報及び前記入力欄に対応付けて記憶するデータ記憶手段と、
前記データ記憶手段に記憶されている前記過去入力データの中の１つ又は複数を、前記入力画面に表示する前記過去入力データとして決定する決定手段と、
をさらに有し、
前記入力画面生成手段は、前記決定手段が決定した前記過去入力データを示した前記入力画面を生成するサーバ装置。
１２．  １１に記載のサーバ装置において、
前記決定手段は、互いに属性が異なる複数の前記過去入力データを、１つの前記入力欄に対応付けて表示する前記過去入力データとして決定するサーバ装置。
１３．  コンピュータが、
入力欄を有し、かつ、前記入力欄において過去に入力された入力データである過去入力データを、属性を識別可能に、前記入力欄に対応付けて示した入力画面をディスプレイに表示する表示工程を実行する入力画面表示方法。
１３−２．  １３に記載の入力画面表示方法において、
前記表示工程では、前記過去入力データの入力時期を識別可能に示した前記入力画面を表示する入力画面表示方法。
１３−３．  １３又は１３−２に記載の入力画面表示方法において、
前記表示工程では、前記過去入力データを入力したユーザの属性を識別可能に示した前記入力画面を表示する入力画面表示方法。
１３−４．  １３から１３−３のいずれかに記載の入力画面表示方法において、
前記表示工程では、前記過去入力データの入力頻度を識別可能に示した前記入力画面を表示する入力画面表示方法。
１３−５．  １３から１３−４のいずれかに記載の入力画面表示方法において、
前記表示工程では、１つの前記入力欄に対応付けて、互いに属性が異なる複数の前記過去入力データを示した前記入力画面を表示する入力画面表示方法。
１４．  コンピュータが、
入力欄を有し、かつ、前記入力欄において過去に入力された入力データである過去入力データを、属性を識別可能に、前記入力欄に対応付けて示した入力画面を生成する入力画面生成工程を実行する入力画面生成方法。
１４−２．  １４に記載の入力画面生成方法において、
前記入力画面生成工程では、前記過去入力データの入力時期を識別可能に示した前記入力画面を生成する入力画面生成方法。
１４−３．  １４又は１４−２に記載の入力画面生成方法において、
前記入力画面生成工程では、前記過去入力データを入力したユーザの属性を識別可能に示した前記入力画面を生成する入力画面生成方法。
１４−４．  １４から１４−３のいずれかに記載の入力画面生成方法において、
前記入力画面生成工程では、前記過去入力データの入力頻度を識別可能に示した前記入力画面を生成する入力画面生成方法。
１４−５．  １４から１４−４のいずれかに記載の入力画面生成方法において、
前記入力画面生成工程では、１つの前記入力欄に対応付けて、互いに属性が異なる複数の前記過去入力データを示した前記入力画面を生成する入力画面生成方法。
１４−６．  １４から１４−５のいずれかに記載の入力画面生成方法において、
前記入力画面生成工程で生成した前記入力画面を端末装置に送信するサーバ送信工程と、
前記端末装置から、前記入力画面が有する前記入力欄に入力された前記入力データ及び属性情報を受信するサーバ受信工程と、
前記サーバ受信工程で受信した前記入力データを、前記過去入力データとして、前記属性情報及び前記入力欄に対応付けて記憶部に記憶させるデータ記憶工程と、
前記記憶部に記憶されている前記過去入力データの中の１つ又は複数を、前記入力画面に表示する前記過去入力データとして決定する決定工程と、
をさらに有し、
前記入力画面生成工程では、前記決定工程で決定した前記過去入力データを示した前記入力画面を生成する入力画面生成方法。
１４−７．  １４−６に記載の入力画面生成方法において、
前記決定工程では、互いに属性が異なる複数の前記過去入力データを、１つの前記入力欄に対応付けて表示する前記過去入力データとして決定する入力画面生成方法。
１５．  コンピュータを、
入力欄を有し、かつ、前記入力欄において過去に入力された入力データである過去入力データを、属性を識別可能に、前記入力欄に対応付けて示した入力画面をディスプレイに表示する表示手段として機能させるプログラム。
１５−２．  １５に記載のプログラムにおいて、
前記表示に、前記過去入力データの入力時期を識別可能に示した前記入力画面を表示させるプログラム。
１５−３．  １５又は１５−２に記載のプログラムにおいて、
前記表示手段に、前記過去入力データを入力したユーザの属性を識別可能に示した前記入力画面を表示させるプログラム。
１５−４．  １５から１５−３のいずれかに記載のプログラムにおいて、
前記表示手段に、前記過去入力データの入力頻度を識別可能に示した前記入力画面を表示させるプログラム。
１５−５．  １５から１５−４のいずれかに記載のプログラムにおいて、
前記表示手段に、１つの前記入力欄に対応付けて、互いに属性が異なる複数の前記過去入力データを示した前記入力画面を表示させるプログラム。
１６．  コンピュータを、
入力欄を有し、かつ、前記入力欄において過去に入力された入力データである過去入力データを、属性を識別可能に、前記入力欄に対応付けて示した入力画面を生成する入力画面生成手段として機能させるプログラム。
１６−２．  １６に記載のプログラムにおいて、
前記入力画面生成手段に、前記過去入力データの入力時期を識別可能に示した前記入力画面を生成させるプログラム。
１６−３．  １６又は１６−２に記載のプログラムにおいて、
前記入力画面生成手段に、前記過去入力データを入力したユーザの属性を識別可能に示した前記入力画面を生成させるプログラム。
１６−４．  １６から１６−３のいずれかに記載のプログラムにおいて、
前記入力画面生成手段に、前記過去入力データの入力頻度を識別可能に示した前記入力画面を生成させるプログラム。
１６−５．  １６から１６−４のいずれかに記載のプログラムにおいて、
前記入力画面生成手段に、１つの前記入力欄に対応付けて、互いに属性が異なる複数の前記過去入力データを示した前記入力画面を生成させるプログラム。
１６−６．  １６から１６−５のいずれかに記載のプログラムにおいて、
前記コンピュータを、
前記入力画面生成手段が生成した前記入力画面を端末装置に送信するサーバ送信手段、
前記端末装置から、前記入力画面が有する前記入力欄に入力された前記入力データ及び属性情報を受信するサーバ受信手段、
前記サーバ受信手段が受信した前記入力データを、前記過去入力データとして、前記属性情報及び前記入力欄に対応付けて記憶するデータ記憶手段、
前記データ記憶手段に記憶されている前記過去入力データの中の１つ又は複数を、前記入力画面に表示する前記過去入力データとして決定する決定手段、
としてさらに機能させ、
前記入力画面生成手段に、前記決定手段が決定した前記過去入力データを示した前記入力画面を生成させるプログラム。
１６−７．  １６−６に記載のプログラムにおいて、
前記決定手段に、互いに属性が異なる複数の前記過去入力データを、１つの前記入力欄に対応付けて表示する前記過去入力データとして決定させるプログラム。
【００８２】
この出願は、２０１３年６月２１日に出願された日本出願特願２０１３−１３０５２３号を基礎とする優先権を主張し、その開示の全てをここに取り込む。
【図１】
2014203689.tif 000003
【図２】
2014203689.tif 000004
【図３】
2014203689.tif 000005
【図４】
2014203689.tif 000006
【図５】
2014203689.tif 000007
【図６】
2014203689.tif 000008
【図７】
2014203689.tif 000009
【図８】
2014203689.tif 000010
【図９】
2014203689.tif 000011
【図１０】
2014203689.tif 000012
【図１１】
2014203689.tif 000013
【図１２】
2014203689.tif 000014
【図１３】
2014203689.tif 000015
【手続補正書】
【提出日】平成27年10月15日(2015.10.15)
【手続補正１】
【補正対象書類名】特許請求の範囲
【補正対象項目名】全文
【補正方法】変更
【補正の内容】
【特許請求の範囲】
【請求項１】
入力欄を有し、かつ、前記入力欄において過去に入力された入力データである過去入力データを、属性を識別可能に、前記入力欄の中に表示した入力画面をディスプレイに表示する表示手段を有する端末装置。
【請求項２】
複数の入力欄を有し、かつ、複数の前記入力欄各々において過去に入力された入力データである過去入力データを、属性を識別可能に、前記入力欄毎にまとめて複数表示した入力画面をディスプレイに表示する表示手段を有する端末装置。
【請求項３】
請求項１又は２に記載の端末装置において、
前記表示手段は、前記過去入力データの入力時期を識別可能に示した前記入力画面を表示する端末装置。
【請求項４】
請求項１から３のいずれか１項に記載の端末装置において、
前記表示手段は、前記過去入力データを入力したユーザの属性を識別可能に示した前記入力画面を表示する端末装置。
【請求項５】
請求項１から４のいずれか１項に記載の端末装置において、
前記表示手段は、前記過去入力データの入力頻度を識別可能に示した前記入力画面を表示する端末装置。
【請求項６】
請求項１から５のいずれか１項に記載の端末装置において、
前記表示手段は、１つの前記入力欄に対応付けて、互いに属性が異なる複数の前記過去入力データを示した前記入力画面を表示する端末装置。
【請求項７】
入力欄を有し、かつ、前記入力欄において過去に入力された入力データである過去入力データを、属性を識別可能に、前記入力欄の中に表示した入力画面を生成する入力画面生成手段を有するサーバ装置。
【請求項８】
複数の入力欄を有し、かつ、複数の前記入力欄各々において過去に入力された入力データである過去入力データを、属性を識別可能に、前記入力欄毎にまとめて複数表示した入力画面を生成する入力画面生成手段を有するサーバ装置。
【請求項９】
請求項７又は８に記載のサーバ装置において、
前記入力画面生成手段は、前記過去入力データの入力時期を識別可能に示した前記入力画面を生成するサーバ装置。
【請求項１０】
請求項７から９のいずれか１項に記載のサーバ装置において、
前記入力画面生成手段は、前記過去入力データを入力したユーザの属性を識別可能に示した前記入力画面を生成するサーバ装置。
【請求項１１】
請求項７から１０のいずれか１項に記載のサーバ装置において、
前記入力画面生成手段は、前記過去入力データの入力頻度を識別可能に示した前記入力画面を生成するサーバ装置。
【請求項１２】
請求項７から１１のいずれか１項に記載のサーバ装置において、
前記入力画面生成手段は、１つの前記入力欄に対応付けて、互いに属性が異なる複数の前記過去入力データを示した前記入力画面を生成するサーバ装置。
【請求項１３】
請求項７から１２のいずれか１項に記載のサーバ装置において、
前記入力画面生成手段が生成した前記入力画面を端末装置に送信するサーバ送信手段と、
前記端末装置から、前記入力画面が有する前記入力欄に入力された前記入力データ及び属性情報を受信するサーバ受信手段と、
前記サーバ受信手段が受信した前記入力データを、前記過去入力データとして、前記属性情報及び前記入力欄に対応付けて記憶するデータ記憶手段と、
前記データ記憶手段に記憶されている前記過去入力データの中の１つ又は複数を、前記入力画面に表示する前記過去入力データとして決定する決定手段と、
をさらに有し、
前記入力画面生成手段は、前記決定手段が決定した前記過去入力データを示した前記入力画面を生成するサーバ装置。
【請求項１４】
請求項１３に記載のサーバ装置において、
前記決定手段は、互いに属性が異なる複数の前記過去入力データを、１つの前記入力欄に対応付けて表示する前記過去入力データとして決定するサーバ装置。
【請求項１５】
コンピュータが、
入力欄を有し、かつ、前記入力欄において過去に入力された入力データである過去入力データを、属性を識別可能に、前記入力欄の中に表示した入力画面をディスプレイに表示する表示工程を実行する入力画面表示方法。
【請求項１６】
コンピュータが、
入力欄を有し、かつ、前記入力欄において過去に入力された入力データである過去入力データを、属性を識別可能に、前記入力欄の中に表示した入力画面を生成する入力画面生成工程を実行する入力画面生成方法。
【請求項１７】
コンピュータを、
入力欄を有し、かつ、前記入力欄において過去に入力された入力データである過去入力データを、属性を識別可能に、前記入力欄の中に表示した入力画面をディスプレイに表示する表示手段として機能させるプログラム。
【請求項１８】
コンピュータを、
入力欄を有し、かつ、前記入力欄において過去に入力された入力データである過去入力データを、属性を識別可能に、前記入力欄の中に表示した入力画面を生成する入力画面生成手段として機能させるプログラム。
【手続補正２】
【補正対象書類名】明細書
【補正対象項目名】０００８
【補正方法】変更
【補正の内容】
【０００８】
本発明によれば、
入力欄を有し、かつ、前記入力欄において過去に入力された入力データである過去入力データを、属性を識別可能に、前記入力欄の中に表示した入力画面をディスプレイに表示する表示手段を有する端末装置が提供される。
【手続補正３】
【補正対象書類名】明細書
【補正対象項目名】０００９
【補正方法】変更
【補正の内容】
【０００９】
また、本発明によれば、
入力欄を有し、かつ、前記入力欄において過去に入力された入力データである過去入力データを、属性を識別可能に、前記入力欄の中に表示した入力画面を生成する入力画面生成手段を有するサーバ装置が提供される。
【手続補正４】
【補正対象書類名】明細書
【補正対象項目名】００１０
【補正方法】変更
【補正の内容】
【００１０】
また、本発明によれば、
コンピュータが、
入力欄を有し、かつ、前記入力欄において過去に入力された入力データである過去入力データを、属性を識別可能に、前記入力欄の中に表示した入力画面をディスプレイに表示する表示工程を実行する入力画面表示方法が提供される。
【手続補正５】
【補正対象書類名】明細書
【補正対象項目名】００１１
【補正方法】変更
【補正の内容】
【００１１】
また、本発明によれば、
コンピュータが、
入力欄を有し、かつ、前記入力欄において過去に入力された入力データである過去入力データを、属性を識別可能に、前記入力欄の中に表示した入力画面を生成する入力画面生成工程を実行する入力画面生成方法が提供される。
【手続補正６】
【補正対象書類名】明細書
【補正対象項目名】００１２
【補正方法】変更
【補正の内容】
【００１２】
また、本発明によれば、
コンピュータを、
入力欄を有し、かつ、前記入力欄において過去に入力された入力データである過去入力データを、属性を識別可能に、前記入力欄の中に表示した入力画面をディスプレイに表示する表示手段として機能させるプログラムが提供される。
【手続補正７】
【補正対象書類名】明細書
【補正対象項目名】００１３
【補正方法】変更
【補正の内容】
【００１３】
また、本発明によれば、
コンピュータを、
入力欄を有し、かつ、前記入力欄において過去に入力された入力データである過去入力データを、属性を識別可能に、前記入力欄の中に表示した入力画面を生成する入力画面生成手段として機能させるプログラムが提供される。
【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
入力欄を有し、かつ、前記入力欄において過去に入力された入力データである過去入力データを、属性を識別可能に、前記入力欄の中に表示した入力画面をディスプレイに表示する表示手段を有し、
前記表示手段は、前記過去入力データを入力したユーザの属性を識別可能に示した前記入力画面を表示する端末装置。
【請求項２】
入力欄を有し、かつ、前記入力欄において過去に入力された入力データである過去入力データを、属性を識別可能に、前記入力欄の中に表示した入力画面をディスプレイに表示する表示手段を有し、
前記表示手段は、１つの前記入力欄に対応付けて、互いに属性が異なる複数の前記過去入力データを示した前記入力画面を表示する端末装置。
【請求項３】
入力欄を有し、かつ、前記入力欄において過去に入力された入力データである過去入力データを、属性を識別可能に、前記入力欄の中に表示した入力画面をディスプレイに表示する表示手段を有し、
前記表示手段は、前記過去入力データの入力時期を識別可能に示した前記入力画面を表示する端末装置。
【請求項４】
入力欄を有し、かつ、前記入力欄において過去に入力された入力データである過去入力データを、属性を識別可能に、前記入力欄の中に表示した入力画面をディスプレイに表示する表示手段を有し、
前記表示手段は、前記過去入力データの入力頻度を識別可能に示した前記入力画面を表示する端末装置。
【請求項５】
複数の入力欄を有し、かつ、複数の前記入力欄各々に対応付けて、同時に、前記入力欄各々において過去に入力された入力データである過去入力データを、属性を識別可能に表示した入力画面をディスプレイに表示する表示手段を有する端末装置。
【請求項６】
請求項５に記載の端末装置において、
前記表示手段は、前記過去入力データの入力時期を識別可能に示した前記入力画面を表示する端末装置。
【請求項７】
請求項５又は６に記載の端末装置において、
前記表示手段は、前記過去入力データを入力したユーザの属性を識別可能に示した前記入力画面を表示する端末装置。
【請求項８】
請求項５から７のいずれか１項に記載の端末装置において、
前記表示手段は、前記過去入力データの入力頻度を識別可能に示した前記入力画面を表示する端末装置。
【請求項９】
請求項５から８のいずれか１項に記載の端末装置において、
前記表示手段は、１つの前記入力欄に対応付けて、互いに属性が異なる複数の前記過去入力データを示した前記入力画面を表示する端末装置。
【請求項１０】
入力欄を有し、かつ、前記入力欄において過去に入力された入力データである過去入力データを、属性を識別可能に、前記入力欄の中に表示した入力画面を生成する入力画面生成手段を有し、
前記入力画面生成手段は、前記過去入力データを入力したユーザの属性を識別可能に示した前記入力画面を生成するサーバ装置。
【請求項１１】
入力欄を有し、かつ、前記入力欄において過去に入力された入力データである過去入力データを、属性を識別可能に、前記入力欄の中に表示した入力画面を生成する入力画面生成手段を有し、
前記入力画面生成手段は、１つの前記入力欄に対応付けて、互いに属性が異なる複数の前記過去入力データを示した前記入力画面を生成するサーバ装置。
【請求項１２】
入力欄を有し、かつ、前記入力欄において過去に入力された入力データである過去入力データを、属性を識別可能に、前記入力欄の中に表示した入力画面を生成する入力画面生成手段を有し、
前記入力画面生成手段は、前記過去入力データの入力時期を識別可能に示した前記入力画面を生成するサーバ装置。
【請求項１３】
入力欄を有し、かつ、前記入力欄において過去に入力された入力データである過去入力データを、属性を識別可能に、前記入力欄の中に表示した入力画面を生成する入力画面生成手段を有し、
前記入力画面生成手段は、前記過去入力データの入力頻度を識別可能に示した前記入力画面を生成するサーバ装置。
【請求項１４】
複数の入力欄を有し、かつ、複数の前記入力欄各々に対応付けて、同時に、前記入力欄各々において過去に入力された入力データである過去入力データを、属性を識別可能に表示した入力画面を生成する入力画面生成手段を有するサーバ装置。
【請求項１５】
請求項１４に記載のサーバ装置において、
前記入力画面生成手段は、前記過去入力データの入力時期を識別可能に示した前記入力画面を生成するサーバ装置。
【請求項１６】
請求項１４又は１５に記載のサーバ装置において、
前記入力画面生成手段は、前記過去入力データを入力したユーザの属性を識別可能に示した前記入力画面を生成するサーバ装置。
【請求項１７】
請求項１４から１６のいずれか１項に記載のサーバ装置において、
前記入力画面生成手段は、前記過去入力データの入力頻度を識別可能に示した前記入力画面を生成するサーバ装置。
【請求項１８】
請求項１４から１７のいずれか１項に記載のサーバ装置において、
前記入力画面生成手段は、１つの前記入力欄に対応付けて、互いに属性が異なる複数の前記過去入力データを示した前記入力画面を生成するサーバ装置。
【請求項１９】
請求項１０から１８のいずれか１項に記載のサーバ装置において、
前記入力画面生成手段が生成した前記入力画面を端末装置に送信するサーバ送信手段と、
前記端末装置から、前記入力画面が有する前記入力欄に入力された前記入力データ及び属性情報を受信するサーバ受信手段と、
前記サーバ受信手段が受信した前記入力データを、前記過去入力データとして、前記属性情報及び前記入力欄に対応付けて記憶するデータ記憶手段と、
前記データ記憶手段に記憶されている前記過去入力データの中の１つ又は複数を、前記入力画面に表示する前記過去入力データとして決定する決定手段と、
をさらに有し、
前記入力画面生成手段は、前記決定手段が決定した前記過去入力データを示した前記入力画面を生成するサーバ装置。
【請求項２０】
請求項１９に記載のサーバ装置において、
前記決定手段は、互いに属性が異なる複数の前記過去入力データを、１つの前記入力欄に対応付けて表示する前記過去入力データとして決定するサーバ装置。
【請求項２１】
コンピュータが、
入力欄を有し、かつ、前記入力欄において過去に入力された入力データである過去入力データを、属性を識別可能に、前記入力欄の中に表示した入力画面をディスプレイに表示する表示工程を実行し、
前記表示工程では、前記過去入力データを入力したユーザの属性を識別可能に示した前記入力画面を表示する入力画面表示方法。
【請求項２２】
コンピュータが、
入力欄を有し、かつ、前記入力欄において過去に入力された入力データである過去入力データを、属性を識別可能に、前記入力欄の中に表示した入力画面をディスプレイに表示する表示工程を実行し、
前記表示工程では、１つの前記入力欄に対応付けて、互いに属性が異なる複数の前記過去入力データを示した前記入力画面を表示する入力画面表示方法。
【請求項２３】
コンピュータが、
入力欄を有し、かつ、前記入力欄において過去に入力された入力データである過去入力データを、属性を識別可能に、前記入力欄の中に表示した入力画面をディスプレイに表示する表示工程を実行し、
前記表示工程では、前記過去入力データの入力時期を識別可能に示した前記入力画面を表示する入力画面表示方法。
【請求項２４】
コンピュータが、
入力欄を有し、かつ、前記入力欄において過去に入力された入力データである過去入力データを、属性を識別可能に、前記入力欄の中に表示した入力画面をディスプレイに表示する表示工程を実行し、
前記表示工程では、前記過去入力データの入力頻度を識別可能に示した前記入力画面を表示する入力画面表示方法。
【請求項２５】
コンピュータが、
複数の入力欄を有し、かつ、複数の前記入力欄各々に対応付けて、同時に、前記入力欄各々において過去に入力された入力データである過去入力データを、属性を識別可能に表示した入力画面をディスプレイに表示する表示工程を実行する入力画面表示方法。
【請求項２６】
コンピュータが、
入力欄を有し、かつ、前記入力欄において過去に入力された入力データである過去入力データを、属性を識別可能に、前記入力欄の中に表示した入力画面を生成する入力画面生成工程を実行し、
前記入力画面生成工程では、前記過去入力データを入力したユーザの属性を識別可能に示した前記入力画面を生成する入力画面生成方法。
【請求項２７】
コンピュータが、
入力欄を有し、かつ、前記入力欄において過去に入力された入力データである過去入力データを、属性を識別可能に、前記入力欄の中に表示した入力画面を生成する入力画面生成工程を実行し、
前記入力画面生成工程では、１つの前記入力欄に対応付けて、互いに属性が異なる複数の前記過去入力データを示した前記入力画面を生成する入力画面生成方法。
【請求項２８】
コンピュータが、
入力欄を有し、かつ、前記入力欄において過去に入力された入力データである過去入力データを、属性を識別可能に、前記入力欄の中に表示した入力画面を生成する入力画面生成工程を実行し、
前記入力画面生成工程では、前記過去入力データの入力時期を識別可能に示した前記入力画面を生成する入力画面生成方法。
【請求項２９】
コンピュータが、
入力欄を有し、かつ、前記入力欄において過去に入力された入力データである過去入力データを、属性を識別可能に、前記入力欄の中に表示した入力画面を生成する入力画面生成工程を実行し、
前記入力画面生成工程では、前記過去入力データの入力頻度を識別可能に示した前記入力画面を生成する入力画面生成方法。
【請求項３０】
コンピュータが、
複数の入力欄を有し、かつ、複数の前記入力欄各々に対応付けて、同時に、前記入力欄各々において過去に入力された入力データである過去入力データを、属性を識別可能に表示した入力画面を生成する入力画面生成工程を実行する入力画面生成方法。
【請求項３１】
コンピュータを、
入力欄を有し、かつ、前記入力欄において過去に入力された入力データである過去入力データを、属性を識別可能に、前記入力欄の中に表示した入力画面をディスプレイに表示する表示手段として機能させ、
前記表示手段は、前記過去入力データを入力したユーザの属性を識別可能に示した前記入力画面を表示するプログラム。
【請求項３２】
コンピュータを、
入力欄を有し、かつ、前記入力欄において過去に入力された入力データである過去入力データを、属性を識別可能に、前記入力欄の中に表示した入力画面をディスプレイに表示する表示手段として機能させ、
前記表示手段は、１つの前記入力欄に対応付けて、互いに属性が異なる複数の前記過去入力データを示した前記入力画面を表示するプログラム。
【請求項３３】
コンピュータを、
入力欄を有し、かつ、前記入力欄において過去に入力された入力データである過去入力データを、属性を識別可能に、前記入力欄の中に表示した入力画面をディスプレイに表示する表示手段として機能させ、
前記表示手段は、前記過去入力データの入力時期を識別可能に示した前記入力画面を表示するプログラム。
【請求項３４】
コンピュータを、
入力欄を有し、かつ、前記入力欄において過去に入力された入力データである過去入力データを、属性を識別可能に、前記入力欄の中に表示した入力画面をディスプレイに表示する表示手段として機能させ、
前記表示手段は、前記過去入力データの入力頻度を識別可能に示した前記入力画面を表示するプログラム。
【請求項３５】
コンピュータを、
複数の入力欄を有し、かつ、複数の前記入力欄各々に対応付けて、同時に、前記入力欄各々において過去に入力された入力データである過去入力データを、属性を識別可能に表示した入力画面をディスプレイに表示する表示手段として機能させるプログラム。
【請求項３６】
コンピュータを、
入力欄を有し、かつ、前記入力欄において過去に入力された入力データである過去入力データを、属性を識別可能に、前記入力欄の中に表示した入力画面を生成する入力画面生成手段として機能させ、
前記入力画面生成手段は、前記過去入力データを入力したユーザの属性を識別可能に示した前記入力画面を生成するプログラム。
【請求項３７】
コンピュータを、
入力欄を有し、かつ、前記入力欄において過去に入力された入力データである過去入力データを、属性を識別可能に、前記入力欄の中に表示した入力画面を生成する入力画面生成手段として機能させ、
前記入力画面生成手段は、１つの前記入力欄に対応付けて、互いに属性が異なる複数の前記過去入力データを示した前記入力画面を生成するプログラム。
【請求項３８】
コンピュータを、
入力欄を有し、かつ、前記入力欄において過去に入力された入力データである過去入力データを、属性を識別可能に、前記入力欄の中に表示した入力画面を生成する入力画面生成手段として機能させ、
前記入力画面生成手段は、前記過去入力データの入力時期を識別可能に示した前記入力画面を生成するプログラム。
【請求項３９】
コンピュータを、
入力欄を有し、かつ、前記入力欄において過去に入力された入力データである過去入力データを、属性を識別可能に、前記入力欄の中に表示した入力画面を生成する入力画面生成手段として機能させ、
前記入力画面生成手段は、前記過去入力データの入力頻度を識別可能に示した前記入力画面を生成するプログラム。
【請求項４０】
コンピュータを、
複数の入力欄を有し、かつ、複数の前記入力欄各々に対応付けて、同時に、前記入力欄各々において過去に入力された入力データである過去入力データを、属性を識別可能に表示した入力画面を生成する入力画面生成手段として機能させるプログラム。
【手続補正２】
【補正対象書類名】明細書
【補正対象項目名】０００８
【補正方法】変更
【補正の内容】
【０００８】
本発明によれば、
入力欄を有し、かつ、前記入力欄において過去に入力された入力データである過去入力データを、属性を識別可能に、前記入力欄の中に表示した入力画面をディスプレイに表示する表示手段を有し、
前記表示手段は、前記過去入力データを入力したユーザの属性を識別可能に示した前記入力画面を表示する端末装置が提供される。
【手続補正３】
【補正対象書類名】明細書
【補正対象項目名】０００９
【補正方法】変更
【補正の内容】
【０００９】
また、本発明によれば、
入力欄を有し、かつ、前記入力欄において過去に入力された入力データである過去入力データを、属性を識別可能に、前記入力欄の中に表示した入力画面を生成する入力画面生成手段を有し、
前記入力画面生成手段は、前記過去入力データを入力したユーザの属性を識別可能に示した前記入力画面を生成するサーバ装置が提供される。
【手続補正４】
【補正対象書類名】明細書
【補正対象項目名】００１０
【補正方法】変更
【補正の内容】
【００１０】
また、本発明によれば、
コンピュータが、
入力欄を有し、かつ、前記入力欄において過去に入力された入力データである過去入力データを、属性を識別可能に、前記入力欄の中に表示した入力画面をディスプレイに表示する表示工程を実行し、
前記表示工程では、前記過去入力データを入力したユーザの属性を識別可能に示した前記入力画面を表示する入力画面表示方法が提供される。
【手続補正５】
【補正対象書類名】明細書
【補正対象項目名】００１１
【補正方法】変更
【補正の内容】
【００１１】
また、本発明によれば、
コンピュータが、
入力欄を有し、かつ、前記入力欄において過去に入力された入力データである過去入力データを、属性を識別可能に、前記入力欄の中に表示した入力画面を生成する入力画面生成工程を実行し、
前記入力画面生成工程では、前記過去入力データを入力したユーザの属性を識別可能に示した前記入力画面を生成する入力画面生成方法が提供される。
【手続補正６】
【補正対象書類名】明細書
【補正対象項目名】００１２
【補正方法】変更
【補正の内容】
【００１２】
また、本発明によれば、
コンピュータを、
入力欄を有し、かつ、前記入力欄において過去に入力された入力データである過去入力データを、属性を識別可能に、前記入力欄の中に表示した入力画面をディスプレイに表示する表示手段として機能させ、
前記表示手段は、前記過去入力データを入力したユーザの属性を識別可能に示した前記入力画面を表示するプログラムが提供される。
【手続補正７】
【補正対象書類名】明細書
【補正対象項目名】００１３
【補正方法】変更
【補正の内容】
【００１３】
また、本発明によれば、
コンピュータを、
入力欄を有し、かつ、前記入力欄において過去に入力された入力データである過去入力データを、属性を識別可能に、前記入力欄の中に表示した入力画面を生成する入力画面生成手段として機能させ、
前記入力画面生成手段は、前記過去入力データを入力したユーザの属性を識別可能に示した前記入力画面を生成するプログラムが提供される。
【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
入力欄を有し、かつ、前記入力欄において過去に入力された入力データである過去入力データを、属性を識別可能に、前記入力欄の中に表示した入力画面をディスプレイに表示する表示手段を有し、
前記表示手段は、前記過去入力データを入力したユーザの属性を識別可能に示した前記入力画面を表示する端末装置。
【請求項２】
入力欄を有し、かつ、前記入力欄において過去に入力された入力データである過去入力データを、属性を識別可能に、前記入力欄の中に表示した入力画面をディスプレイに表示する表示手段を有し、
前記表示手段は、１つの前記入力欄に対応付けて、互いに属性が異なる複数の前記過去入力データを示した前記入力画面を表示する端末装置。
【請求項３】
入力欄を有し、かつ、前記入力欄において過去に入力された入力データである過去入力データを、属性を識別可能に、前記入力欄の中に表示した入力画面をディスプレイに表示する表示手段を有し、
前記表示手段は、前記過去入力データの入力時期を識別可能に示した前記入力画面を表示する端末装置。
【請求項４】
入力欄を有し、かつ、前記入力欄において過去に入力された入力データである過去入力データを、属性を識別可能に、前記入力欄の中に表示した入力画面をディスプレイに表示する表示手段を有し、
前記表示手段は、前記過去入力データの入力頻度を識別可能に示した前記入力画面を表示する端末装置。
【請求項５】
入力欄を有し、かつ、前記入力欄において過去に入力された入力データである過去入力データを、属性を識別可能に、前記入力欄の中に表示した入力画面を生成する入力画面生成手段を有し、
前記入力画面生成手段は、前記過去入力データを入力したユーザの属性を識別可能に示した前記入力画面を生成するサーバ装置。
【請求項６】
入力欄を有し、かつ、前記入力欄において過去に入力された入力データである過去入力データを、属性を識別可能に、前記入力欄の中に表示した入力画面を生成する入力画面生成手段を有し、
前記入力画面生成手段は、１つの前記入力欄に対応付けて、互いに属性が異なる複数の前記過去入力データを示した前記入力画面を生成するサーバ装置。
【請求項７】
入力欄を有し、かつ、前記入力欄において過去に入力された入力データである過去入力データを、属性を識別可能に、前記入力欄の中に表示した入力画面を生成する入力画面生成手段を有し、
前記入力画面生成手段は、前記過去入力データの入力時期を識別可能に示した前記入力画面を生成するサーバ装置。
【請求項８】
入力欄を有し、かつ、前記入力欄において過去に入力された入力データである過去入力データを、属性を識別可能に、前記入力欄の中に表示した入力画面を生成する入力画面生成手段を有し、
前記入力画面生成手段は、前記過去入力データの入力頻度を識別可能に示した前記入力画面を生成するサーバ装置。
【請求項９】
請求項５から８のいずれか１項に記載のサーバ装置において、
前記入力画面生成手段が生成した前記入力画面を端末装置に送信するサーバ送信手段と、
前記端末装置から、前記入力画面が有する前記入力欄に入力された前記入力データ及び属性情報を受信するサーバ受信手段と、
前記サーバ受信手段が受信した前記入力データを、前記過去入力データとして、前記属性情報及び前記入力欄に対応付けて記憶するデータ記憶手段と、
前記データ記憶手段に記憶されている前記過去入力データの中の１つ又は複数を、前記入力画面に表示する前記過去入力データとして決定する決定手段と、
をさらに有し、
前記入力画面生成手段は、前記決定手段が決定した前記過去入力データを示した前記入力画面を生成するサーバ装置。
【請求項１０】
請求項９に記載のサーバ装置において、
前記決定手段は、互いに属性が異なる複数の前記過去入力データを、１つの前記入力欄に対応付けて表示する前記過去入力データとして決定するサーバ装置。
【請求項１１】
コンピュータが、
入力欄を有し、かつ、前記入力欄において過去に入力された入力データである過去入力データを、属性を識別可能に、前記入力欄の中に表示した入力画面をディスプレイに表示する表示工程を実行し、
前記表示工程では、前記過去入力データを入力したユーザの属性を識別可能に示した前記入力画面を表示する入力画面表示方法。
【請求項１２】
コンピュータが、
入力欄を有し、かつ、前記入力欄において過去に入力された入力データである過去入力データを、属性を識別可能に、前記入力欄の中に表示した入力画面をディスプレイに表示する表示工程を実行し、
前記表示工程では、１つの前記入力欄に対応付けて、互いに属性が異なる複数の前記過去入力データを示した前記入力画面を表示する入力画面表示方法。
【請求項１３】
コンピュータが、
入力欄を有し、かつ、前記入力欄において過去に入力された入力データである過去入力データを、属性を識別可能に、前記入力欄の中に表示した入力画面をディスプレイに表示する表示工程を実行し、
前記表示工程では、前記過去入力データの入力時期を識別可能に示した前記入力画面を表示する入力画面表示方法。
【請求項１４】
コンピュータが、
入力欄を有し、かつ、前記入力欄において過去に入力された入力データである過去入力データを、属性を識別可能に、前記入力欄の中に表示した入力画面をディスプレイに表示する表示工程を実行し、
前記表示工程では、前記過去入力データの入力頻度を識別可能に示した前記入力画面を表示する入力画面表示方法。
【請求項１５】
コンピュータが、
入力欄を有し、かつ、前記入力欄において過去に入力された入力データである過去入力データを、属性を識別可能に、前記入力欄の中に表示した入力画面を生成する入力画面生成工程を実行し、
前記入力画面生成工程では、前記過去入力データを入力したユーザの属性を識別可能に示した前記入力画面を生成する入力画面生成方法。
【請求項１６】
コンピュータが、
入力欄を有し、かつ、前記入力欄において過去に入力された入力データである過去入力データを、属性を識別可能に、前記入力欄の中に表示した入力画面を生成する入力画面生成工程を実行し、
前記入力画面生成工程では、１つの前記入力欄に対応付けて、互いに属性が異なる複数の前記過去入力データを示した前記入力画面を生成する入力画面生成方法。
【請求項１７】
コンピュータが、
入力欄を有し、かつ、前記入力欄において過去に入力された入力データである過去入力データを、属性を識別可能に、前記入力欄の中に表示した入力画面を生成する入力画面生成工程を実行し、
前記入力画面生成工程では、前記過去入力データの入力時期を識別可能に示した前記入力画面を生成する入力画面生成方法。
【請求項１８】
コンピュータが、
入力欄を有し、かつ、前記入力欄において過去に入力された入力データである過去入力データを、属性を識別可能に、前記入力欄の中に表示した入力画面を生成する入力画面生成工程を実行し、
前記入力画面生成工程では、前記過去入力データの入力頻度を識別可能に示した前記入力画面を生成する入力画面生成方法。
【請求項１９】
コンピュータを、
入力欄を有し、かつ、前記入力欄において過去に入力された入力データである過去入力データを、属性を識別可能に、前記入力欄の中に表示した入力画面をディスプレイに表示する表示手段として機能させ、
前記表示手段は、前記過去入力データを入力したユーザの属性を識別可能に示した前記入力画面を表示するプログラム。
【請求項２０】
コンピュータを、
入力欄を有し、かつ、前記入力欄において過去に入力された入力データである過去入力データを、属性を識別可能に、前記入力欄の中に表示した入力画面をディスプレイに表示する表示手段として機能させ、
前記表示手段は、１つの前記入力欄に対応付けて、互いに属性が異なる複数の前記過去入力データを示した前記入力画面を表示するプログラム。
【請求項２１】
コンピュータを、
入力欄を有し、かつ、前記入力欄において過去に入力された入力データである過去入力データを、属性を識別可能に、前記入力欄の中に表示した入力画面をディスプレイに表示する表示手段として機能させ、
前記表示手段は、前記過去入力データの入力時期を識別可能に示した前記入力画面を表示するプログラム。
【請求項２２】
コンピュータを、
入力欄を有し、かつ、前記入力欄において過去に入力された入力データである過去入力データを、属性を識別可能に、前記入力欄の中に表示した入力画面をディスプレイに表示する表示手段として機能させ、
前記表示手段は、前記過去入力データの入力頻度を識別可能に示した前記入力画面を表示するプログラム。
【請求項２３】
コンピュータを、
入力欄を有し、かつ、前記入力欄において過去に入力された入力データである過去入力データを、属性を識別可能に、前記入力欄の中に表示した入力画面を生成する入力画面生成手段として機能させ、
前記入力画面生成手段は、前記過去入力データを入力したユーザの属性を識別可能に示した前記入力画面を生成するプログラム。
【請求項２４】
コンピュータを、
入力欄を有し、かつ、前記入力欄において過去に入力された入力データである過去入力データを、属性を識別可能に、前記入力欄の中に表示した入力画面を生成する入力画面生成手段として機能させ、
前記入力画面生成手段は、１つの前記入力欄に対応付けて、互いに属性が異なる複数の前記過去入力データを示した前記入力画面を生成するプログラム。
【請求項２５】
コンピュータを、
入力欄を有し、かつ、前記入力欄において過去に入力された入力データである過去入力データを、属性を識別可能に、前記入力欄の中に表示した入力画面を生成する入力画面生成手段として機能させ、
前記入力画面生成手段は、前記過去入力データの入力時期を識別可能に示した前記入力画面を生成するプログラム。
【請求項２６】
コンピュータを、
入力欄を有し、かつ、前記入力欄において過去に入力された入力データである過去入力データを、属性を識別可能に、前記入力欄の中に表示した入力画面を生成する入力画面生成手段として機能させ、
前記入力画面生成手段は、前記過去入力データの入力頻度を識別可能に示した前記入力画面を生成するプログラム。
【国際調査報告】
2014203689.tif 000016
2014203689.tif 000017
2014203689.tif 000018